(57)【要約】【課題】不正な重要書類の取り出しを防止できる上に、煩雑な作業を伴うことのない業務時間外の重要書類の保管体制を構築することができる箱を提供すること。【解決手段】重要書類の投入を許容するスリット状の書類投入口１８が設けられたことにより、一旦投入された重要書類を書類投入口１８から閊えることなくスムーズに取り出すことが極めて難しいものとなり、箱１０から不正に書類が取り出されることを防止することができる。また、箱１０に収容されている重要書類は、上述のように容易に取り出すことができないので、業務時間外においても箱１０に重要書類を収容した状態で安心してデスク上等に設置したままにしておくことができる。【選択図】図２
0003129806.tif 000002
【実用新案登録請求の範囲】
【請求項１】
個人情報や営業秘密等の重要情報の記載された重要書類を収容した状態でリサイクル処理場に輸送される紙製の重要書類収容箱において、
手が入らない大きさのスリット状の書類投入口が上部に設けられ、該書類投入口以外の部分は閉塞されていることを特徴とする重要書類収容箱。
【請求項２】
底面部と、該底面部の周縁に立設された筒状の胴部と、該胴部の上方に設けられる天板部と、を有し、
前記書類投入口が、
前記天板部の縁部近傍に設けられたことを特徴とする請求項１に記載の重要書類収容箱。
【請求項３】
前記書類投入口が、
前記天板部の縁部近傍に代え、前記筒状の胴部の上部に設けられたことを特徴とする請求項２に記載の重要書類収容箱。
【請求項４】
前記書類投入口から投入され箱内で前記重要書類を蓋う板状体の落し蓋を備えたことを特徴とする請求項１〜３の何れか１項に記載の重要書類収容
箱。
【請求項５】
底面部と、筒状の胴部と、該胴部の上部開口部と、該上部開口部の周縁で前記胴部の外側に折り返されて前記胴部の他方端部側に向かって延出する舌片とを有する箱本体と、
前記箱本体に被せられた蓋部と、を備え、
前記蓋部は、
前記上部開口部を覆う大きさの天板部と、
前記天板部の周縁で折曲されて垂下する第１縦壁片と、
前記天板部の周縁でかつ前記第１縦壁片の側方位置で折曲されて垂下する第２縦壁片と、
前記第１縦壁片の下端部にて前記第１縦壁片の内側面に沿うように折り返されて前記天板部に向かって延出し、該延出した上端部が該上端部と前記天板との間に前記舌片の延長長さよりも長い間隔を有して離間する折返し片と、
前記第２縦壁片の側端から延出して前記第１縦壁片と前記折返し片との間に介在されて前記第１縦壁片と第２縦壁片とを連結し、前記折返し片と重なり合って前記折返し片の上端部と同一高さ位置に上端部が連続する折込片とを有し、
前記第１縦壁片及び前記第２縦壁片を前記胴部の外側面に対峙させ、前記折返し片の上端部及び折込片の上端部の上方に、前記舌片の下端部を対向させた状態で、前記蓋部が前記胴部の一方端部側から前記箱本体に被せられることで構成され、
前記書類投入口が、
前記天板部の縁部近傍又は前記筒状の胴部の上部に設けられたことを特徴とする重要書類収容箱。
【請求項６】
前記第２縦壁片は、
該第２縦壁片の側端から延出して前記第１縦壁片と前記折返し片との間に介在されて前記第１縦壁片と前記第２縦壁片とを連結する連結片と、
前記第２縦壁片の下端部にて前記第２縦壁片の内側面に沿うように折り返されて前記天板に向かって延出し、該延出した上端部が該上端部と前記天板との間に前記舌片の延出長さよりも長い間隔を有して離間する第２折返し片とを有し、
前記折込片が前記第２折返し片の側端に連設されていることを特徴とする請求項５に記載の重要書類収容箱。
【考案の詳細な説明】
【技術分野】
【０００１】
本考案は、個人情報や営業秘密等の重要情報が記載された重要書類の使用が終了し、不要となった後、当該書類を投入して保管する箱に関する。
【背景技術】
【０００２】
従来より、会社内で個人情報や営業秘密等の重要情報が記載された重要書類を取り扱う際には、その情報の漏洩を防止するために厳重な管理が要求されている。例えば、社員が会社内において重要書類を使用しそれが不要となった後は、書類を投入する投入口を有するダンボール箱等の予め決まった箱に重要書類を投入し保管する。この箱は、基本的に社員が使用し易いように会社内の各部署の所定のデスクや床上等に設置されている。そして、箱の中が使用後の重要書類で満杯になると、この重要書類の詰まった箱がリサイクルや焼却処理を行う廃棄機関によって回収される。また、業務時間外においては、会社内に人が少なくなることから、箱から重要書類が不正に取り出される危険性が高いので、重要書類を上記箱に収容した状態でデスク等から鍵付のキャビネット内に移し施錠して保管する。
【考案の開示】
【考案が解決しようとする課題】
【０００３】
しかし、上述のようにデスク上等に設置された箱に重要書類を収容しておくと、業務時間中であっても、不正に重要書類を取り出そうとする者が、部署内の他の者に悟られぬように箱の投入口から重要書類を取り出し持ち去ってしまう恐れがあった。
【０００４】
また、上述のように業務時間外の重要書類の保管のために、当該重要書類を収容した箱をわざわざデスク等からキャビネットに移して施錠しなければならず、逆に、業務を再開する時も、キャビネットの施錠を解いて箱を取り出し再びデスク上等に設置しなければならない。従って、このような業務終了後の重要書類の保管に伴う面倒な箱の出し入れの作業によって他の業務の実行が妨げられるという問題が生じていた。
【０００５】
本発明は、このような事情に鑑みてなされたものであり、その目的は、不正な重要書類の取り出しを防止できる上に、煩雑な作業を伴うことのない業務時間外の重要書類の保管体制を構築することができる箱を提供することにある。
【課題を解決するための手段】
【０００６】
上記課題を解決するために請求項１に記載の箱は、個人情報や営業秘密等が記載された重要書類を収容する箱であって、前記重要書類の通過を許容する開口としてスリット状の書類投入口のみが設けられたことを特徴とする。
【０００７】
これにより、一旦箱に投入された重要書類は、書類投入口以外から取り出すことができない。更に、書類投入口がスリット状であるため、当該書類投入口から内部の重要書類を不正に取り出そうとしても、スムーズに取り出すことは難しいものとなる。
【０００８】
また、箱に収容されている重要書類は、上述のように容易に取り出すことができないので、業務時間外においても箱に重要書類を収容した状態でキャビネットに移すことなく安全にデスク上等に設置したままにしておくことができる。
【０００９】
請求項２に記載の考案は、請求項１に記載の箱において、底面部と、該底面部の周縁に立設された側壁部と、該側壁部の上方に設けられる天板部と、を有し、前記書類投入口が、前記天板部に設けられたことを特徴とする。
【００１０】
これにより、箱が例えば、床等の低い位置に設置されている場合に書類投入口が重要書類を投入するのにちょうど良い高さ位置となり、重要書類の投入を容易に行うことができる。従って、箱からの重要書類の不正な取り出しを防止し且つ業務の効率を低下させることなく、床等の比較的設置が容易な低い位置に箱を設置することができる。
【００１１】
請求項３に記載の考案は、請求項１に記載の箱において、底面部と、該底面部の周縁に立設された側壁部と、該側壁部の上方に設けられる天板部と、を有し、前記書類投入口が、前記側壁部に設けられたことを特徴とする。
【００１２】
これにより、箱が例えば、棚の上等の高い位置に設置された場合に書類投入口が重要書類を投入するのにちょうど良い高さ位置となり、重要書類の投入を容易に行うことができる。従って、業務の効率を低下させることなく箱を棚の上等の高い位置に設置することができ、当該設置によって箱からの重要書類の不正な取り出しをより確実に防止することができる。
【００１３】
請求項４に記載の考案は、請求項２に記載の箱において、前記書類投入口は、
前記天板部を貫いた状態で少なくとも前記重要書類の短辺よりも長い長さに亘って延在するように形成された第１の切り込みと、該第１の切り込みの両端にそれぞれ連結すると伴に前記天板部を貫いた状態でそれぞれが第１の切り込みと略垂直且つ相互に対向して延在するように形成された第２の切込みと、該第２の切り込みの終端同士を結ぶ直線とにより囲まれる天板部の一部を前記直線に沿って箱の内方側又は外方側に折ることで形成されることを特徴とする。
【００１４】
これにより、書類投入口を第１の切込み、第２の切込み及び折線で囲まれる天板部の一部を箱の内方側に押し込む或いは、箱の外方側に引く力を加えることで、上記天井部の一部が折線に沿って折られ、元の天井部の一部の部分にスリットが形成される。そして、上記力を解除すると折線に沿って折られた天井部の一部には、復元力により元の折れていない状態に戻ろうとする力が働く。
【００１５】
すなわち、書類を投入する時に上記天板部の一部を押して（引いて）折ることで、書類投入口から書類を投入することができ、当該投入の終了後は、上記復元力により天板部の一部が元の位置に戻り書類投入口を塞ぐ。従って、当該天板部の一部が閉じ蓋の役割を果たすので、一度箱内に投入した書類を取り出すことが更に難しくなり、不正な書類の取り出しをより確実に防止することができる。
【００１６】
請求項５に記載の考案は、請求項３に記載の箱において、前記書類投入口は、
前記側壁部を貫いた状態で少なくとも前記重要書類の短辺よりも長い長さに亘って延在するように形成された第１の切り込みと、該第１の切り込みの両端にそれぞれ連結すると伴に前記側壁部を貫いた状態でそれぞれが第１の切り込みと略垂直且つ相互に対向して延在するように形成された第２の切込みと、該第２の切り込みの終端同士を結ぶ直線と、により囲まれる側壁部の一部を前記直線に沿って該側壁部の内側又は外側に折ることで形成されるスリットとして構成されることを特徴とする。
【００１７】
これにより、書類投入口を第１の切込み、第２の切込み及び折線で囲まれる天板部の一部を当該天井部の内側（箱の内部側）に押し込む或いは、天井部の外側（箱の外部側）に引く力を加えることで、上記天井部の一部が折線に沿って折られ、元の天井部の一部の部分にスリットが形成される。そして、上記力を解除すると折線に沿って折られた天井部の一部には、復元力により元の折れていない状態に戻ろうとする力が働く。
【００１８】
すなわち、書類を投入する時に上記天板部の一部を押して（引いて）折ることで、書類投入口から書類を投入することができ、当該投入の終了後は、上記復元力により天板部の一部が元の位置に戻り書類投入口を塞ぐ。従って、当該天板部の一部が閉じ蓋の役割を果たすので、一度箱内に投入した書類を取り出すことが更に難しくなり、不正な書類の取り出しをより確実に防止することができる。
【考案の効果】
【００１９】
本考案にかかる箱によれば、一旦箱に投入された重要書類は、書類投入口以外から取り出すことができず、更に、書類投入口がスリット状であるため、当該書類投入口から内部の重要書類を取り出そうとしても、スムーズに取り出すことは難しい。従って、本考案にかかる箱によれば、箱から不正に書類を取り出す行為を妨げることができ、結果として、不正な重要書類の取り出しを防止することができる。
【００２０】
また、箱に収容されている重要書類は、上述のように容易に取り出すことができないので、業務時間外においても箱に重要書類を収容した状態で安心してデスク上等に設置したままにしておくことができる。従って、業務終了後に行われるキャビネットに箱を移し施錠する作業及び業務再開時に行われるキャビネットから箱を取り出し再びデスク上等に設置する作業を省略することができるので、煩雑な作業を伴うことない業務時間外の重要書類の保管体制を構築することができる。
【考案を実施するための最良の形態】
【００２１】
以下、本考案にかかる実施の形態について図面を参照して説明する。
【００２２】
（第１の実施の形態）
図１は、本実施の形態の箱の説明図である。箱１０は、例えば会社内の各部署のデスクや床上に設置され、個人情報や営業秘密が記載された重要書類が収容されることで焼却処理機関やリサイクル業者等の廃棄機関による回収が行われるまでの間の保管を行うものである。
【００２３】
なお、本実施の形態の箱１０は、紙製、金属製又は樹脂製等の種々の材料を適用することができるが、後述する書類投入口１８の生成の容易さ及び収容される重要書類の重量に耐えうる剛性を考慮すると、いわゆる段ボールや樹脂を用いることが好ましい。
【００２４】
図１に示すように、箱１０は、投入される重要書類よりも若干大きな矩形状で形成される底面部１２を有し、この底面部１２の各辺部からは側壁部１４が鉛直上方に立設されている。この側面部１４は、４枚の略矩形の板を互いに隣り合う板同士を相互に結合することにより構成されている。側壁部１４の上方には、底面部１２と平行で側壁部１４の上端部を覆う天板部１６が設けられている。以上の構成により箱１０は、図に示すような略直方体の形状を有している。
【００２５】
そして、天板部１６の前方寄り位置には、書類投入口１８が設けられている。この書類投入口１８は、カッター等で切り抜かれることにより略矩形スリット状の投入口１９として、数枚の書類を重ねて投入できる程度の大きさで構成されている。
【００２６】
上記の構成により、投入口１９が、重要書類を数枚重ねて投入できる程度の大きさのスリット状であるので、一旦箱１０に投入され収容された重要書類をこの投入口１９から閊えることなくスムーズに取り出すことが極めて難しいものとなる。
【００２７】
これにより、不正に重要書類を取り出そうとする者が、部署内で箱１０から重要書類を取り出そうとした場合、箱を逆さにして振ったり、或いは、棒等の挿入物を書類投入口１８から挿入して重要書類を強引に引き出すという作業を行わなければならず、上記不正に重要書類を取り出そうとする者にとってみると、その行為を発見されるリスクが高くなる。すなわち、当該不正に重要書類を取り出そうとする者にその行為に対する抑止力を与え、箱１０から重要書類が取り出されることを防止することができる。
【００２８】
また、重要書類は、上述のように箱１０から容易に取り出すことができないので、業務時間外においても箱１０に重要書類を収容した状態で安心してデスク等の上に設置したままにしておくことができる。従って、業務終了後に行われるキャビネットに箱を移し施錠する作業及び業務再開時に行われるキャビネットから箱を取り出し再びデスク上等に設置する作業を省略することができるので、煩雑な作業を伴うことない業務時間外の重要書類の保管体制を構築することができる。
【００２９】
更に、箱１０が床等の低い位置に設置されている場合には、書類投入口１８が天板部１６に設けられていることから重要書類を投入するのにちょうど良い高さ位置となり、重要書類の投入を容易に行うことができる。従って、箱１０からの重要書類の不正な取り出しを防止し且つ業務の効率を低下させることなく、床等の比較的設置が容易な低い位置に箱１０を設置することができる。
【００３０】
（第２の実施の形態）
図２は、本実施の形態の箱１０の説明図である。なお、第１の実施の形態と同様の要素には、同一の符号を付しその説明を省略する。本実施の形態における第１の実施の形態との差異は、天板部１６の書類投入口１８の構成の仕方にある。また、本実施の形態では、箱１０の構成材料として、いわゆる段ボールを用いる。
【００３１】
図３には、書類投入口１８の近傍の部分を示す説明図が示されている。本実施の形態の書類投入口１８の構成の仕方について説明する。先ず、箱１０の短辺と平行な方向で少なくとも重要書類の短辺よりも長い長さに亘って延在するように第１の切り込み２０を形成する。そして、第１の切り込み２０の両端にそれぞれ連結すると伴にそれぞれが第１の切込み２０と略垂直且つ相互に対向して延在するように第２の切込み２２を形成する。最後に、この第１の切込み２０、第２の切込み２２及び第２の切込み２２の終端同士を結ぶ直線２４に囲まれた天板部の一部２６を直線２４に沿って折る、すなわち、天板部の一部２６を箱１０の内方側に押し込む又は外方側に引くことにより、その位置に書類投入口１８が形成される。
【００３２】
このように書類投入口１８が形成されたことにより、天板部の一部２６を手で箱１０の内方側に押し込み抑えながら重要書類を容易に投入することができ、重要書類の投入後に手を離すことで天板部１６の弾性によって、天板部の一部２６が元の位置、すなわち、書類投入口１８を閉塞する位置に戻る。従って、重要書類が一旦箱１０に収容されると、それを取り出すためには、箱１０を逆さにして天板部の一部２６を押し込みながら書類投入口１８に指を入れる等の作業を行う必要があるので、重要書類の箱１０からの不正な取り出しをより困難なものとすることができる。なお、天板部の一部２６を箱１０の外方側に押し込んで書類投入口１８を形成した場合も、同様の効果が得られる。
【００３３】
（第３の実施の形態）
図４は、本実施の形態の箱１０の説明図である。なお、第１、第２の実施の形態と同様の要素には、同一の符号を付し、その説明を省略する。図示のように、本実施の形態において、箱１０は、底面部１２及び側壁部１４で構成される箱本体１２と、その箱本体１２に被せられる蓋部１４と、により構成されている。なお、本実施の形態の箱１０の構成材料には、段ボールを用いる。
【００３４】
図５は、箱本体１２と蓋部１４が分離された状態を示す説明図である。図示のように、箱本体１２は、一方の端部である上部が開放されている。箱本体１２の上部には、各側面板１８Ａ、１８Ｂ、１４Ｃ、１４Ｄの上端部によって開口部２０が形成されている。開口部２０の周縁は、底面部１２の各辺部と平行に延在し、４枚の側面板１８Ａ、１８Ｂ、１４Ｃ、１４Ｄのうち、前方の側壁部１４Ｃの上端部が、左右及び後方の側面板１８Ａ、１８Ｂ、１４Ｄの上端部よりも一段下がった高さ位置に位置するように形成されている。
【００３５】
この開口部２０の周縁には、蓋部１４を係止するための舌片２２が設けられている。舌片２２は、前方の側壁部１４Ｃを除く、左右及び後方の側面板１８Ａ、１８Ｂ、１４Ｄの上端に連設されている。舌片２２は、側面板１８Ａ、１８Ｂ、１４Ｄの上端にて外方に折り返されて形成されて、各側面板１８Ａ、１８Ｂ、１４Ｄの外側に沿って下方に向かって延出し、互いに隣り合う舌片２２に同士が連結されている。そして、前方の側壁部１４Ｃの上端部は、舌片２２の下端部とほぼ同じ高さ位置に位置するように構成されている。
【００３６】
蓋部１４は、天板２４と、天板２４の周縁から垂下して天板２４の周りを縁取る縁部３６を備えた立体形状を有しており、箱本体１２の開口部２０に被せることによって開口部２０を閉塞しかつ箱本体１２に強固に係止される構造となっている。天板２４は、開口部２０を覆う大きさ、具体的には、箱本体１２の底面部１２よりも若干大きな長方形状を有しており、短辺が前方及び後方の側面板１８Ｃ、１８Ｄの上端に対応する長さに形成され、長辺が左右の側面板１８Ａ、１８Ｂの上端に対応する長さに形成されている。なお、書類投入口１８は、天板２４の前方寄り位置に設けられている。
【００３７】
縁部３６は、箱本体１２の開口部２０に被せた状態で側面板１８Ａ、１８Ｂ、１４Ｃ、１４Ｄの外側面に対峙して側壁部１４の上部を外周側から囲み、下端が舌片２２の下端部よりも側壁部１４の下方に向かって延出する一定の高さ幅を有している。また、縁部３６は、後述する４枚の縦壁片３８Ａ、３８Ｂ、３８Ｃ、３８Ｄを有している。
【００３８】
図６に蓋部１４の展開状態を示す。４枚の縦壁片３８Ａ、３８Ｂ、３８Ｃ、３８Ｄは、第１縦壁片３０Ａ、３０Ｂと第２縦壁片２６Ｃ、２６Ｄの２種類からなり、図示のように、天板２４を間に介して対向する位置にそれぞれ対をなしている。具体的には、一対の第１縦壁片３０Ａ、３０Ｂが天板２４の長辺との間に折線を介して連設され、一対の第２縦壁片２６Ｃ、２６Ｄが天板２４の短辺との間に折線を介して連設される。
【００３９】
そして、第１縦壁片３０Ａ、３０Ｂには、第１折返し片（折返し片）４０Ａ、４０Ｂがそれぞれ連設されている。第１折返し片３０Ａ、３０Ｂは、第１縦壁片３０Ａ、３０Ｂの下端部に折線を介してそれぞれ連設されており、その折線で第１縦壁片３０Ａ、３０Ｂの内側面に沿うように折り返されて天板２４にむかって延出し、第１折返し片３０Ａ、３０Ｂの上端部が天板２４との間に舌片２２の延出長さよりも長い間隔を有して離間する高さ幅に設定されている。
【００４０】
一方、第２縦壁片２６Ｃ、２６Ｄには、連結片３２と第２折返し片３０Ｃ、３０Ｄとが連設されている。連結片３２は、第２縦壁片２６Ｃ、２６Ｄを、第２縦壁片２６Ｃ、２６Ｄの両側端部にそれぞれ隣り合う第１縦壁片３０Ａ、３０Ｂと連結するためのものであり、第１縦壁片３０Ａ、３０Ｂと第１折返し片３０Ａ、３０Ｂとの間に折り込まれて、第１縦壁片３０Ａ、３０Ｂの内側面に上端から下端に亘って接面する大きさを有している。
【００４１】
第２折返し片４０Ｃは、第２縦壁片２６Ｃ、２６Ｄの下端部に折線を介して連設されており、その折線で第２縦壁片２６Ｃ、２６Ｄの内側面に沿うように折り返されて天板２４に向かって延出し、第２折返し片３０Ｃ、３０Ｄの上端部が天板２４との間に舌片２２の突出長さよりも長い間隔を形成する高さ幅に設定されており、第１折返し片３０Ａ、３０Ｂの上端部と同一の高さ位置に位置して連続するように形成されている。
【００４２】
そして、第２折返し片３０Ｃ、３０Ｄには、折込片３４が設けられている。折込片３４は、第２折返し片３２Ａ、３２Ｃの両端部側にそれぞれ折線を介して連設されている。折込片３４は、第１縦壁片３８Ａと第１折返し片４０Ａとの間に、それぞれ連結片３２と共に折り込まれて介在される。そして、上端部が第１折返し片３０Ａ、３０Ｂの上端部と同一高さに連続し、折込片３４の上端部と天板２４との間に舌片２２の突出幅ｈよりも長い間隔Ｌを形成するように構成されている。
【００４３】
第２折返し片３０Ｃ、３０Ｄの両端側には、切欠部４６が設けられている。切欠部４６は、折込片３４との折線に沿って上端から所定高さに亘って切り欠いて形成されており、第１折返し片３０Ａ、３０Ｂの両側端に突設された差込片４８を差し込むことができ、蓋部１４を組立状態に固定できるようになっている。
【００４４】
上記構成を有する蓋部１４の組み立て方法を以下に説明する。先ずは、図６に示す展開状態から、第２縦壁片２６Ｃ、２６Ｄを天板２４との折線で天板２４の下面側にそれぞれ折り曲げて、天板２４に対して垂下させる。（例えば図７参照）
【００４５】
次いで、連結片３２を、第２縦壁片２６Ｃ、２６Ｄとの折線で天板２４側に折り曲げると共に、各折込片３４を、第２折返し片３０Ｃ、３０Ｄとの折線で連結片３２と離間する側に折り曲げる。（例えば図８参照）
【００４６】
それから、各第２折返し片３０Ｃ、３０Ｄを各第２縦壁片２６Ｃ、２６Ｄとの折線で内方に折返し、各第２縦壁片２６Ｃ、２６Ｄの内側面に各々合わせると共に、各折込片３４を各連結片３２の内側面に重ね合わせる。（例えば図９参照）
【００４７】
そして、各第１縦壁片３０Ａ、３０Ｂを、天板２４との折線で天板２４の下面側に折り曲げて、天板２４に対して垂下させて連結片３２の外側面に重ね合わせる（例えば図１０参照）。そして、第１折返し片３０Ａ、３０Ｂを、第１縦壁片３０Ａ、３０Ｂとの折線で内方に折返し、第１縦壁片３８Ａと第１折返し片４０Ａとの間、第１縦壁片３８Ｂと第１折返し片４０Ｂとの間に、連結片３２と折込片３４をそれぞれ介在させる（例えば図１１参照）。そして、第１折返し片３０Ａ、３０Ｂの両側端の差込片４８を切欠部４６に差し込み、かかる折返し状態に固定する（例えば図１２参照）。以上の作業によって、蓋部１４は図１３に示す状態に組み立てられる。
【００４８】
上記構成を有する蓋部１４を開口部２０の上方から箱本体１２に被せると、箱本体１２の左右の側面板１８Ａ、１８Ｂの外側面と蓋部１４の第１縦壁片３０Ａ、３０Ｂの内側面とが対峙し、箱本体１２の前後の側面板１８Ｃ、１８Ｄの外側面と、蓋部１４の第２縦壁片２６Ｃ、２６Ｄの内側面とが対峙し、蓋部１４の第１折返し片３０Ａ、３０Ｂ、及び第２折返し片４０Ｄと側面板１８Ａ、１８Ｂ、１４Ｄの各舌片２２とが摺接しながら相対的に上下に移動する。
【００４９】
そして、側面板１８Ａ、１８Ｂの舌片２２の下端部が第１折返し片３０Ａ、３０Ｂの上端部よりも上方に移動することによって、側面板１８Ａ、１８Ｂの舌片２２が第１折返し片３０Ａ、３０Ｂの上方に形成された間隙に入りこみ、その舌片２２の下端部の下方に、第１折返し片３０Ａ、３０Ｂの上端部及び折込片３４の上端部が対向して上下に配置される。
【００５０】
また、側壁部１４Ｄの舌片２２の下端部が第２折返し片４０Ｄよりも上方に移動することによって、側壁部１４Ｄの舌片２２が第２折返し片４０Ｄの上方に形成された間隙に入り込み、その舌片２２の下端部の下方に、第２折返し片４０Ｄの上端部が対向して上下に配置される。
【００５１】
従って、かかる状態で蓋部１４を持ち上げた際に、後方の側壁部１４Ｄに設けられた舌片２２の下端部が第２折返し片４０Ｄの上端部に当接させると共に、左右の側面板１８Ａ、１８Ｂに設けられた舌片２２の下端部を第１折返し片３０Ａ、３０Ｂの上端部及び折込片３４の上端部の少なくとも一方に当接させることができる。
【００５２】
ここで特に、第１折返し片３０Ａ、３０Ｂと折込片３４の上方には、舌片２２の２枚分の厚さ幅を有する間隔が、側面板１８Ａ、１８Ｂの上端部全長に亘って形成されていることから、側面板１８Ａ、１８Ｂの舌片２２の下端部を第１折返し片２４Ａ、２４Ｂの上端部及び折込片３４の上端部の少なくとも一方に確実に当接させることができる。
【００５３】
また、例えば、箱１０に収容された重要書類を不正に取り出す等の目的で蓋３０を開けようとして第１折返し片３０Ａ、３０Ｂとの間に指先や棒状部分の先端を差し込んだ場合、これらの指先や棒状部分の先端は、舌片２２と側面板１８Ａ、１８Ｂとの間に挿入されることとなる。
【００５４】
従って、かかる場合、舌片２２の下端部と、第１折返し片３０Ａ、３０Ｂの上端部及び折込片３４の上端部との対向を解除することはできず、舌片２２の下端部を側面板１８Ａ、１８Ｂから離間させて第１縦壁片３０Ａ、３０Ｂに接近する方向に広げて、舌片２２の下端部と、第１折返し片３０Ａ、３０Ｂの上端部及び折込片３４の上端部との対向をより確実なものにすることとなる。
【００５５】
従って、蓋３０を側壁部１４に強固に係止し、蓋３０の側壁部１４に対する更なる上方への移動を妨げることができる。そして、蓋３０が側壁部１４から取り外されるのを防止する。
【００５６】
また、第１縦壁片３０Ａ、３０Ｂと第１折返し片３０Ａ、３０Ｂとの間に、連結片３２と折込片３４とを介在させて、互いに隣り合う第１縦壁片３０Ａ、３０Ｂと第２縦壁片２６Ｃ、２６Ｄとを連結しているので、粘着テープや接着剤などを使用することなく、高い連結強度で第１縦壁片３０Ａ、３０Ｂと第２縦壁片２６Ｃ、２６Ｄとを連結することができる。従って、かかる連結部分の破壊行為を困難なものとし、蓋３０の破壊による箱１０の開封を防ぐことができ、結果として、重要書類の不正な取り出しを防止することができる。
【００５７】
なお、本考案は、上記第１〜第３の実施の形態に限定されるものではなく、考案の要旨の範囲内で種々の変更が可能である。例えば、上記第１~第３の実施の形態では、天板部１６に書類投入口１８を設けているが、書類投入口１８を側壁部１４に設けても良い。これにより、箱１０が例えば、棚の上等の高い位置に設置された場合に、書類投入口１８が重要書類を投入するのにちょうど良い高さ位置となり、重要書類の投入を容易に行うことができる。従って、業務の効率を低下させることなく箱１０を棚の上等の高い位置に設置することができ、当該設置によって箱１０からの重要書類の不正な取り出しをより確実に防止することができる。
【図面の簡単な説明】
【００５８】
【図１】第１の実施の形態にかかる箱の説明図である。
【図２】第２の実施の形態にかかる箱の説明図である。
【図３】書類投入口の近傍の部分を示す説明図である。
【図４】第３の実施の形態にかかる箱の説明図である。
【図５】箱を蓋と収容部に分離した状態を示す説明図である。
【図６】蓋の展開図である。
【図７】蓋の組み立て順序を説明するための要部拡大図である。
【図８】蓋の組み立て順序を説明するための要部拡大図である。
【図９】蓋の組み立て順序を説明するための要部拡大図である。
【図１０】蓋の組み立て順序を説明するための要部拡大図である。
【図１１】蓋の組み立て順序を説明するための要部拡大図である。
【図１２】蓋の組み立て順序を説明するための要部拡大図である。
【図１３】組み立てられた蓋の斜視図である。
【符号の説明】
【００５９】
１０          箱
１２          底面部
１４          側壁部
１６          天板部
１８          書類投入口
２０          第１の切込み
２２          第２の切込み
２４          直線
２６          天板部の一部
【図１】
0003129806.tif 000003
【図２】
0003129806.tif 000004
【図３】
0003129806.tif 000005
【図４】
0003129806.tif 000006
【図５】
0003129806.tif 000007
【図６】
0003129806.tif 000008
【図７】
0003129806.tif 000009
【図８】
0003129806.tif 000010
【図９】
0003129806.tif 000011
【図１０】
0003129806.tif 000012
【図１１】
0003129806.tif 000013
【図１２】
0003129806.tif 000014
【図１３】
0003129806.tif 000015
【手続補正書】
【提出日】平成18年12月25日(2006.12.25)
【手続補正１】
【補正対象書類名】実用新案登録請求の範囲
【補正対象項目名】請求項５
【補正方法】変更
【補正の内容】
【請求項５】
底面部と、筒状の胴部と、該胴部の上部開口部と、該上部開口部の周縁で前記胴部の外側に折り返されて前記胴部の他方端部側に向かって延出する舌片とを有する箱本体と、
前記箱本体に被せられた蓋部と、を備え、
前記蓋部は、
前記上部開口部を覆う大きさの天板部と、
前記天板部の周縁で折曲されて垂下する第１縦壁片と、
前記天板部の周縁でかつ前記第１縦壁片の側方位置で折曲されて垂下する第２縦壁片と、
前記第１縦壁片の下端部にて前記第１縦壁片の内側面に沿うように折り返されて前記天板部に向かって延出し、該延出した上端部が該上端部と前記天板との間に前記舌片の延長長さよりも長い間隔を有して離間する折返し片と、
前記第２縦壁片の側端から延出して前記第１縦壁片と前記折返し片との間に介在されて前記第１縦壁片と第２縦壁片とを連結し、前記折返し片と重なり合って前記折返し片の上端部と同一高さ位置に上端部が連続する折込片とを有し、
前記第１縦壁片及び前記第２縦壁片を前記胴部の外側面に対峙させ、前記折返し片の上端部及び折込片の上端部の上方に、前記舌片の下端部を対向させた状態で、前記蓋部が前記胴部の一方端部側から前記箱本体に被せられることで構成され、
前記書類投入口が、
前記天板部の縁部近傍又は前記筒状の胴部の上部に設けられたことを特徴とする請求項１に記載の重要書類収容箱。